(57)【要約】  バルブコッタをスプリングリテーナに容易かつ確実に取付けることができる装置を提供する。バルブコッタ取付け装置は、リテーナ孔が下方に向けて縮径して開孔するように該スプリングリテーナを供給するリテーナ供給手段と、コッタ片を順次供給するコッタ供給手段と、前記リテーナ孔に出入自在に設けられ、供給される第１のコッタ片を前記リテーナ孔の内側面とともに重力に応じて第１の所定の位置にガイドするほぼ垂直なガイド面を有し、該ガイド面より上方にあって次いで供給され重力に応じて第２の所定の位置にガイドされる第２のコッタ片を受ける先端面を有する受け手段と、該受け手段を移動させる移動手段と、を備える。前記受け手段は、第２のコッタ片を、前記第１の所定の位置にガイドされた第１のコッタ片にガイドさせて前記先端面に受けることができる。
2008111191.tif 000002
【特許請求の範囲】
【請求項１】
バルブ本体及びバルブステムからなるバルブに装着されるバルブスプリングに押圧されるスプリングリテーナに該バルブステムに連結する複数の円弧状のコッタ片に分割されるバルブコッタを、前記スプリングリテーナに設けられたリテーナ孔に、取り付けるバルブコッタ取付け装置において、
前記リテーナ孔が下方に向けて縮径して開孔するように該スプリングリテーナを供給するリテーナ供給手段と、
前記コッタ片を順次供給するコッタ供給手段と、
該リテーナ孔に出入自在に設けられ、供給される第１のコッタ片を、前記リテーナ孔の内側面とともに重力に応じて第１の所定の位置にガイドするほぼ垂直なガイド面を有し、該ガイド面より上方にあって、次いで供給され重力に応じて第２の所定の位置にガイドされる第２のコッタ片を受ける先端面を有する受け手段と、
該受け手段を移動させる移動手段と、を備え、
前記受け手段は、第２のコッタ片を、前記第１の所定の位置にガイドされた第１のコッタ片にガイドさせて前記先端面に受けることを特徴とするバルブコッタ取付け装置。
【請求項２】
前記受け手段は、円柱の半割で横断面が半円状を呈する軸体を有し、該軸体の上端面が前記先端面を含み、該軸体の半割割面がガイド面を含むことを特徴とする請求項１に記載のバルブコッタ取付け装置。
【請求項３】
前記受け手段は、半割大円柱及び半割小円柱をそれぞれの割面でそれぞれの円柱中心軸を共通にして張り合わせてなる軸体を有し、該軸体における上端面が前記先端面を含み、該軸体の前記半割大円柱の割面において凸形状を形成する前記半割小円柱の外側周面及び／又は前記半割大円柱の前記割面が前記ガイド面を含むことを特徴とする請求項１に記載のバルブコッタ取付け装置。
【請求項４】
前記受け手段を、前記リテーナ孔内で回転させる回転機構を備えることを特徴とする請求項１から３のいずれかに記載のバルブコッタ取付け装置。
【請求項５】
前記移動手段は、前記受け手段を載置して上下する昇降台と、該昇降台を上下させるように前記取付け装置本体に固定される昇降部とを備えることを特徴とする請求項１から４のいずれかに記載のバルブコッタ取付け装置。
【請求項６】
前記受け手段を、前記ガイド面が前記第１の所定の位置にコッタ片をガイドできるように位置決めする第１昇降規制部材と、
前記第二の所定の位置で前記コッタ片を前記先端面が受けるように前記受け手段を移動させる第２昇降規制部材とを有し、
前記第１昇降規制部材及び前記第２昇降規制部材は、前記昇降台に設置されていることを特徴とする請求項５に記載のバルブコッタ取付け装置。
【請求項７】
所定位置に固定され、前記リテーナ供給手段及びコッタ供給手段が設置される設置テーブルを備え、
前記第１昇降規制部材は、前記昇降台と前記設置テーブルとの間に設けられ、
該設置テーブルに当接して前記昇降台の上昇位置を規制するストッパーであり、
前記第２昇降規制部材は、前記第１昇降規制部材によって規制された前記上昇位置から前記昇降台を降下させる昇降機構を備えることを特徴とする請求項５又は６に記載のバルブコッタ取付け装置。
【請求項８】
前記リテーナ供給手段は、前記第１の所定の位置を前記リテーナ孔内に規定できるように前記スプリングリテーナを移動させるリテーナ移動部材を備えることを特徴とする請求項１から７のいずれかに記載のバルブコッタ取付け装置。
【請求項９】
前記コッタ供給手段は、移動させられた前記スプリングリテーナの上方に前記コッタ片を移動させるコッタ片移動部材を備えることを特徴とする請求項８に記載のバルブコッタ取付け装置。
【請求項１０】
前記昇降部は、エアシリンダーを備えることを特徴とする請求項５から９のいずれかに記載のバルブコッタ取付け装置。
【請求項１１】
前記昇降部は、ボールネジ及び該ボールネジに沿って移動する摺動部材を備えることを特徴とする請求項５、８及び９のいずれかに記載のバルブコッタ取付け装置。
【請求項１２】
バルブ本体及びバルブステムからなるバルブに装着されるバルブスプリングに押圧されるスプリングリテーナに該バルブステムに連結する複数の円弧状のコッタ片に分割されるバルブコッタを、前記スプリングリテーナに設けられたリテーナ孔に、取付けるバルブコッタ取付け方法において、
前記リテーナ孔が下方に向けて縮径して開孔するように該スプリングリテーナを供給し、バルブコッタの取付け位置に移動するリテーナ移動工程と、
上端の先端面及び該先端面にほぼ直角に隣接するガイド面を備える受け手段を前記リテーナ孔に進入させる受け手段進入工程と、
前記コッタ片を順次供給するコッタ供給工程と、
供給された第１のコッタ片を、前記リテーナ孔の上方に搬送し、前記リテーナ孔の内側面及び前記ガイド面により規定される第１の所定の位置に、重力に応じてガイドされるように落下させる第１コッタ片落下工程と、
供給された第２のコッタ片を、前記リテーナ孔の上方に搬送し、前記先端面により規定される第２の所定の位置に、重力に応じてガイドされるように落下させる第２コッタ片落下工程と、
前記受け手段を、前記リテーナ孔から退出させる受け手段退出工程と、
を含むことを特徴とするバルブコッタ取付け方法。
【請求項１３】
前記第２コッタ片落下工程の前に、前記受け手段を所定距離下降させる下降工程をさらに含むことを特徴とする請求項１２に記載のバルブコッタ取付け方法。
【請求項１４】
前記第１コッタ片落下工程の後に、前記第１の所定の位置にある前記第１のコッタ片を前記受け手段と共に前記リテーナ孔内で回転させる回転工程を更に含むことを特徴とする請求項１２又は１３に記載のバルブコッタ取付け方法。
【請求項１５】
前記第２コッタ片落下工程は、前記第２のコッタ片の回転工程を含むことを特徴とする請求項１２に記載のバルブコッタ取付け方法。
【発明の詳細な説明】
【技術分野】
【０００１】
本発明は、バルブスプリングに押圧されるスプリングリテーナをバルブステムに固定するための複数に分割されたコッタを、スプリングリテーナのテーパ孔に組み付けるコッタ・リテーナ組付装置及び組付方法に関する。
【背景技術】
【０００２】
エンジンの動弁機構におけるバルブ・アセンブリは、吸気及び排気口にそれぞれ設けられており、それぞれの吸気及び排気口を開閉するバルブ本体（傘部分）と、バルブ本体の中心から垂直に延びるバルブステムと、このバルブステムに設けられるスプリングとを備えている。【０００３】
前記スプリングは、バルブステムに設けられるスプリングリテーナに取り付けられてバルブ本体に弾発力を付与している。このスプリングリテーナは、バルブ本体に向かって縮径するテーパ壁を有するリテーナ孔を備えており、一方バルブステムは、該バルブ本体からやや離れた位置に該バルブステムの軸の外側周に凹溝を備えている。そして、これらスプリングリテーナとバルブステムとの間にバルブコッタを介在させて、スプリングリテーナをバルブステムに取り付けて固定することができる。【０００４】
スプリングリテーナは、外周部がスプリングを保持する鍔部を構成する。該スプリングリテーナは、孔の開いた円板形状を呈してよく、中心部にバルブ本体に向かって縮径するテーパ壁を有するリテーナ孔を備えている。【０００５】
複数のコッタ片からなるバルブコッタは、それぞれのコッタ片が非常に小さく、かつ軽量なので、組み付けの際に所定位置に組付け難い。また、組付けても外れやすいこともあり取り扱いが容易ではない。この困難性を解消するものとして、一対のコッタ片を予め組み付けてリテーナコッタ組付け装置に供給する装置が開示されている（例えば、特許文献１）。【０００６】
このような装置においては、複数のコッタ片を組み付ける際に、それぞれのコッタ片の専用パーツフィーダからコッタ片が供給される。そして、コッタ供給装置が少なくとも二系統必要であり、装置の大型を招くおそれがある。また、このような二系統の供給装置間で、供給の同期化が必要であるので、制御機構が複雑化し易い。【０００７】
一方、リテーナのテーパ孔へコッタを組み付ける装置としては、例えば、特許文献２に開示されるものがある。この装置では、バルブスプリングに押圧されるリテーナをバルブステムに固定するための複数に分割されたコッタを、前記リテーナのテーパ孔に組み付ける際に、前記リテーナを、そのテーパ孔の大径側を上部側とした状態で支持して、回転可能に支持する回転支持機構と、前記リテーナが回転支持機構により支持された状態で回転することにより、前記分割した複数のコッタを、前記回転支持機構の上方から、同じ向きで上下に積層した状態で前記リテーナのテーパ孔に順次落下させる際にコッタの姿勢が変わらないように、上方を頂点とする円錐形状のコッタガイドピンがリテーナのテーパ孔の下方から上方へ突出して、コッタガイドピンの側面とリテーナのテーパ孔のテーパ面とでコッタを支持している。【０００８】
しかしながら、この装置においては、リテーナにコッタを組付ける際に、コッタを少なくとも２つ積層して落下させ、その後、リテーナを回転して積層している２つのコッタを分離させ対称位置に組付けるようにしているため、コッタ同士の摩擦によってなかなか積層状態が解除されない恐れがある。そのため、組付け作業が不安定になってムラが発生し作業効率が低下する恐れがある。
【特許文献１】特許第２８１６３７３号公報
【特許文献２】特開２００４−３５１５２５号公報
【発明の開示】
【発明が解決しようとする課題】
【０００９】
以上のような課題に鑑みて、本発明において、バルブコッタをスプリングリテーナに容易かつ確実に取付けることができる装置を提供する。また、バルブコッタをスプリングリテーナに容易かつ確実に取付ける方法を提供する。
【課題を解決するための手段】
【００１０】
本発明において、バルブコッタ取付け装置は、リテーナ孔が下方に向けて縮径して開孔するように該スプリングリテーナを供給するリテーナ供給手段と、コッタ片を順次供給するコッタ供給手段と、前記リテーナ孔に出入自在に設けられ、供給される第１のコッタ片を前記リテーナ孔の内側面とともに重力に応じて第１の所定の位置にガイドするほぼ垂直なガイド面を有し、該ガイド面より上方にあって次いで供給され重力に応じて第２の所定の位置にガイドされる第２のコッタ片を受ける先端面を有する受け手段と、該受け手段を移動させる移動手段と、を備える。前記受け手段は、第２のコッタ片を、前記第１の所定の位置にガイドされた第１のコッタ片にガイドさせて前記先端面に受けることができる。【００１１】
より具体的には、以下のようなものを提供できる。
（１）バルブ本体及びバルブステムからなるバルブに装着されるバルブスプリングに押圧されるスプリングリテーナを該バルブステムに連結する複数の円弧状のコッタ片に分割されるバルブコッタを、前記スプリングリテーナに設けられたリテーナ孔に、取り付けるバルブコッタ取付け装置において、  前記リテーナ孔が下方に向けて縮径して開孔するように該スプリングリテーナを供給するリテーナ供給手段と、  前記コッタ片を順次供給するコッタ供給手段と、  該リテーナ孔に出入自在に設けられ、供給される第１のコッタ片を、前記リテーナ孔の内側面とともに重力に応じて第１の所定の位置にガイドするほぼ垂直なガイド面を有し、該ガイド面より上方にあって、次いで供給され重力に応じて第２の所定の位置にガイドされる第２のコッタ片を受ける先端面を有する受け手段と、  該受け手段を移動させる移動手段と、を備え、  前記受け手段は、第２のコッタ片を、前記第１の所定の位置にガイドされた第１のコッタ片にガイドさせて前記先端面に受けることを特徴とするバルブコッタ取付け装置を提供できる。【００１２】
ここで、円弧状のコッタ片とは、円筒状のコッタを上面視円の中心を通る複数の分割線で割ったコッタ片を意味することができる。例えば、半割りした場合は、コッタは、一対のコッタ片からなり、その上面視はほぼ半円を呈する。リテーナ孔は、円板状のスプリングリテーナの平面視で円を呈するその円の中心から所定の半径で開口する貫通する孔であってよい。該スプリングリテーナは、所定の高さ（又は厚み）を有し、前記リテーナ孔は、一方向に縮径するテーパ孔であってよい。このリテーナ孔が下方に向けて縮径して開孔するようにとは、スプリングリテーナが所定の向き（上向き若しくは下向き）にされていることを意味することができる。従って、スプリングリテーナは、一方向に並んで供給されてよい。従って、リテーナ供給手段は、スプリングリテーナを所定の向きに揃えて供給することができるあらゆる種類のリテーナ供給装置を含むことができる。【００１３】
また、コッタ片を順次供給するコッタ供給手段は、複数のコッタ片を１つずつ供給可能なものであれば、如何なる種類のコッタ供給装置を含むことができる。このコッタ片は、スプリングリテーナと同様、一方向に並んで供給されることが好ましい。テーパ状のリテーナ孔に挿入される際に方向が揃っている方が好ましいからである。また、例えば、半割りされたコッタのコッタ片において、これらの複数のコッタ片が半割り面を同じ方向に向けて、つまり、同じ回転位置に揃って供給されると好ましい。コッタ片を把持する際に同一の把持手段（トングのような物を挟む道具を含んでよく、該コッタ片を把持できるものであるならば、如何なる種類の把持装置をも含むことができる）によって、統一的に取り扱うことがより容易になるからである。一方、後述するように、コッタ片が対向するようにリテーナ孔に載置されることを考慮すれば、コッタ片を互い違いの向きに回転させて供給してもよい。【００１４】
受け手段が、リテーナ孔に出入自在であるので、受け手段の形状が、リテーナ孔に容易に入ることができる形状及び大きさを有することができる。出入自在であるので、リテーナ孔の上側開口及び／又は下側開口を前記受け手段は通ることができる。例えば、下向きに縮径するリテーナ孔の下側から、後述する移動手段の動きにより、受け手段がリテーナ孔に下側から進入し、下側に退出することができる。リテーナ孔は、テーパ状をした円形の孔であるので、受け手段は、円柱形若しくはそれに類似する形状の軸若しくは円柱或いはこれらに類似する形状を有することが好ましい。【００１５】
ここで、第１の所定の位置とは、第１のコッタ片が装着されるべき位置であって、リテーナ孔の内側面（即ち、テーパ面）及びガイド面によって規定される位置であってよい。複数のコッタ片をアセンブルすることにより、コッタが構成されるが、このコッタは、リテーナ孔の内側面に装着される。コッタ片は、上面視でほぼ円を呈するコッタを所定の円周角に応じて分割した、２つの分割片であってよい。円弧状のコッタ片の円周面は、リテーナ孔の内側面によって規制され、分割面はガイド面によって規制されてよい。リテーナ孔の内側面は、下向きに縮径するので上側がより大径であり、向きが揃えられたコッタ片の自重により、コッタ片はこの内側面及びガイド面を摺動して前記第１の所定の位置に装着される。【００１６】
第１のコッタ片に続いて、第２のコッタ片が第１のコッタ片と同様、組み付け位置にあるスプリングリテーナのリテーナ孔の内周面及び既に装着された第１のコッタ片により規定される第２の所定の位置に装着されてよい。即ち、リテーナ孔の内周面及び既に装着された第１のコッタ片によりガイドされて装着されてよい。この際に、第１のコッタ片の位置を規定するガイド面の上方にある先端面にこの第２のコッタ片が投下されてよい。そして、第２のコッタ片が第２の所定の位置に装着されるように、後述する移動手段により受け手段がリテーナ孔から退出するように移動されてよい。この移動手段は、如何なる種類の移動装置をも含むことができる。【００１７】
（２）前記受け手段は、円柱の半割で横断面が半円状を呈する軸体を有し、該軸体の先端面が前記先端面を含み、該軸体の半割割面がガイド面を含むことを特徴とする上記（１）に記載のバルブコッタ取付け装置を提供できる。【００１８】
上述の受け手段は、上下に延びる軸形状を呈することができる。この軸形状は実質的に鉛直に延び、リテーナ孔に挿入可能な、大きさの先端部を備えてよい。この先端部は、コッタ片の形状に合わせて適宜変更することが可能である。例えば、２つ割りのコッタ片の場合は、円柱を半割りにしたような横断面が半円状を呈する軸体とすることができる。２つ割りのコッタ片の場合は、半割した割面がガイド面を含んでよい。また、上下に延びる軸形状の両端面のうち上端面は、先端面を含んでよい。従って、先端面は平面視で半円形状を呈してもよい。【００１９】
（３）前記受け手段は、半割大円柱及び半割小円柱をそれぞれの割面でそれぞれの円柱中心軸を共通にして張り合わせてなる軸体を有し、該軸体における上端面が前記先端面を含み、該軸体の前記半割大円柱の割面において凸形状を形成する前記半割小円柱の外側周面及び／又は前記半割大円柱の前記割面が前記ガイド面を含むことを特徴とする上記（１）に記載のバルブコッタ取付け装置を提供できる。【００２０】
上述した（２）の受け手段は、上面視で半円を呈するが、ここでは、大きな半円と小さな半円が互いの円の中心をほぼ一致させて割面で背中合わせとなる形状を呈する。この形状は、大円から、半円分だけ外周から一定厚さ部分で形成される外殻を取り除いた形状と考えることもできる。円弧状のコッタ片の内周面は、第１の所定の位置にガイドされる際に、この半割小円柱の外側周面と摺動することができる。即ち、（２）の受け手段よりもガイド面として機能する面が大きくなることができ、より正確なガイドが可能となる。【００２１】
（４）前記受け手段を、前記リテーナ孔内で回転させる回転機構を備えることを特徴とする上記（１）から（３）のいずれかに記載のバルブコッタ取付け装置を提供できる。【００２２】
受け手段が、リテーナ孔内で回転するとは、リテーナ孔の内周面にぶつかりスプリングリテーナの位置をずらせることなく、回転できることを意味してよい。例えば、リテーナ孔の中心軸と既に挿入されている受け手段の回転軸がほぼ同一（即ち、共通）であれば、ほぼ円形を呈するリテーナ孔内で受け手段は回転可能である。回転機構としては、特に限定されることなく、あらゆる種類の機構が含まれてよい。【００２３】
（５）前記移動手段は、前記受け手段を載置して上下する昇降台と、該昇降台を上下させるように前記取付け装置本体に固定される昇降部とを備えることを特徴とする上記（１）から（４）のいずれかに記載のバルブコッタ取付け装置を提供できる。【００２４】
取付け装置は、本体となるフレーム等、概形を形成する本体を備えることができる。この取付け装置本体に固定された昇降部により、取付け装置本体において上下移動が可能な昇降台が備えられる。この昇降台は、受け手段を載置するので、受け手段が上下する。【００２５】
（６）前記受け手段を、前記ガイド面が前記第１の所定の位置にコッタ片をガイドできるように位置決めする第１昇降規制部材と、前記第二の所定の位置で前記コッタ片を前記先端面が受けるように前記受け手段を移動させる第２昇降規制部材とを有し、前記第１昇降規制部材及び前記第２昇降規制部材は、前記昇降台に設置されていることを特徴とする上記（５）に記載のバルブコッタ取付け装置を提供できる。【００２６】
（７）所定位置に固定され、前記リテーナ供給手段及びコッタ供給手段が設置される設置テーブルを備え、前記第１昇降規制部材は、前記昇降台と前記設置テーブルとの間に設けられ、該設置テーブルに当接して前記昇降台の上昇位置を規制するストッパーであり、前記第２昇降規制部材は、前記第1昇降規制部材によって規制された前記上昇位置から前記昇降台を降下させる昇降機構を備えることを特徴とする上記（５）又は（６）に記載のバルブコッタ取付け装置を提供できる。【００２７】
第１昇降規制部材は、例えば、所定の長さを有する棒状の部材であってもよく、昇降部の第1昇降シャフトの上昇端（ストローク端）であってもよい。また、第２昇降規制部材は、例えば、その一部が伸縮することにより、昇降台を上下に移動可能な部材であってもよい。【００２８】
（８）前記リテーナ供給手段は、前記第１の所定の位置を前記リテーナ孔内に規定できるように前記スプリングリテーナを移動させるリテーナ移動部材を備えることを特徴とする上記（１）から（７）のいずれかに記載のバルブコッタ取付け装置を提供できる。【００２９】
リテーナ移動部材は、供給されるスプリングリテーナを正確にリテーナ組み付け位置に移動させることができる。【００３０】
（９）前記コッタ供給手段は、移動させられた前記スプリングリテーナの上方に前記コッタ片を移動させるコッタ片移動部材を備えることを特徴とする上記（８）に記載のバルブコッタ取付け装置を提供できる。【００３１】
コッタ片移動部材は、供給されたコッタ片を第１及び第２の所定の位置に装着するべく落下させるところまで移動することができる。また、必要に応じて、回転等の移動も可能とすることができる。【００３２】
（１０）前記昇降部は、エアシリンダーを備えることを特徴とする上記（５）から（９）のいずれかに記載のバルブコッタ取付け装置を提供できる。【００３３】
（１１）前記昇降部は、ボールネジ及び該ボールネジに沿って移動する摺動部材を備えることを特徴とする上記（１）から（１０）のいずれかに記載のバルブコッタ取付け装置を提供できる。【００３４】
（１２）バルブ本体及びバルブステムからなるバルブに装着されるバルブスプリングに押圧されるスプリングリテーナを該バルブステムに連結する複数の円弧状のコッタ片に分割されるバルブコッタを、前記スプリングリテーナに設けられたリテーナ孔に、取付けるバルブコッタ取付け方法において、前記リテーナ孔が下方に向けて縮径して開孔するように該スプリングリテーナを供給し、バルブコッタの取付け位置に移動するリテーナ移動工程と、上端の先端面及び該先端面にほぼ直角に隣接するガイド面を備える受け手段を前記リテーナ孔に進入させる受け手段進入工程と、前記コッタ片を順次供給するコッタ供給工程と、供給された第１のコッタ片を、前記リテーナ孔の上方に搬送し、前記リテーナ孔の内側面及び前記ガイド面により規定される第１の所定の位置に、重力に応じてガイドされるように落下させる第１コッタ片落下工程と、供給された第２のコッタ片を、前記リテーナ孔の上方に搬送し、前記先端面により規定される第２の所定の位置に、重力に応じてガイドされるように落下させる第２コッタ片落下工程と、前記受け手段を、前記リテーナ孔から退出させる受け手段退出工程と、を含むことを特徴とするバルブコッタ取付け方法を提供できる。【００３５】
（１３）前記第２コッタ片落下工程の前に、前記受け手段を所定距離下降させる下降工程をさらに含むことを特徴とする上記（１２）に記載のバルブコッタ取付け方法を提供できる。【００３６】
（１４）前記第１コッタ片落下工程の後に、前記第１の所定の位置にある前記第１のコッタ片を前記受け手段と共に前記リテーナ孔内で回転させる回転工程を更に含むことを特徴とする上記（１２）又は（１３）に記載のバルブコッタ取付け方法を提供できる。【００３７】
（１５）前記第２コッタ片落下工程は、前記第２のコッタ片の回転工程を含むことを特徴とする上記（１２）に記載のバルブコッタ取付け方法を提供できる。【００３８】
本発明のさらなる特徴、その性質、種々の有利な点は、添付の図面及び以下の好ましい実施の形態から明らかになるであろう。
【図面の簡単な説明】
【００３９】
【図１】本実施例のバルブコッタ取付け装置の要部の概略を模式的に示す模式部分斜視図である。
【図２Ａ】本実施例のバルブコッタ取付け装置の正面図である。
【図２Ｂ】本実施例のバルブコッタ取付け装置の平面図である。
【図２Ｃ】本実施例のバルブコッタ取付け装置の側面図である。
【図３Ａ】本実施例のコッタ移動部材の要部を示す正面図である。
【図３Ｂ】本実施例であって、コッタ片把持時のコッタ片移動部材の要部の正面図及び底面図である。
【図４】本実施例で用いられるコッタ片の正面図、平面図、及び側面図である。
【図５】本実施例で用いられるスプリングリテーナの正面図及び平面図である。
【図６】受け取り部材の要部の正面図及び平面図である。
【図７】別の種類の受け取り部材の要部の正面図及び平面図である。
【図８Ａ】本実施例において、スプリングリテーナへのコッタ片を取付ける方法を説明する図である。
【図８Ｂ】図８Ａの次工程を説明する図である。
【図８Ｃ】図８Ｂの次工程を説明する図である。
【図８Ｄ】図８Ｃの次工程を説明する図である。
【図９Ａ】本実施例におけるスプリングリテーナへのコッタ片を取付ける方法を説明する平面図及び側面図である。
【図９Ｂ】図９Ａの次工程を説明する図である。
【図９Ｃ】図９Ｂの次工程を説明する図である。
【図９Ｄ】図９Ｃの次工程を説明する図である。
【図９Ｅ】図９Ｄの次工程を説明する図である。
【図９Ｆ】図９Ｅの次工程を説明する図である。
【図１０Ａ】別のバルブコッタ取付け装置の正面図である。
【図１０Ｂ】別のバルブコッタ取付け装置の平面図である。
【図１０Ｃ】別のバルブコッタ取付け装置の側面図である。
【符号の説明】
【００４０】
１１、１２      バルブコッタ取付け装置
１３      コッタ取付け部
１３ａ    受取り部材
１３ｂ    回転機構
１３ｄ    昇降部
１３ｅ    第１昇降規制部材
１３ｆ    第２昇降規制部材
１３ｇ    昇降部載置台
１３ｈ    下方支柱
１３ｉ    テーブル支柱
１４      移動部材
１４ａ    昇降部
１４ｂ    昇降台
１４ｃ    昇降部設置台
１４ｈ    設置台支柱
１４ｉ    基台
１４ｊ    第１昇降シャフト
１５      コッタ供給装置
１６      架台
１７      リテーナ供給装置
１７ａ    リテーナ供給部
１７ｂ    リテーナ取出し部
１７ｃ    移動部材
１９      コッタ片移動部材
１９ａ    コッタ把持チャック
２１      設置テーブル
２７      リテーナ検出センサー
２９      コッタ検出センサー
３５      モータ
３１      ボールねじ
３３      摺動部材
１００    コッタ片
１００ｂ  テーパ外壁
１００ｃ  コッタ中心孔
１００ｄ  凸部
１３０ａ  半割大円柱
１３０ｂ  半割小円柱
２００    スプリングリテーナ
２０１    リテーナ孔
２０２    孔鍔部
２０３    内周面
２０４    鍔部
２３１    支持台
【発明を実施するための最良の形態】
【００４１】
以下、本発明を図面を参照しつつ、好ましい実施形態を詳細に説明する。以下の実施形態では、バルブコッタ取付け装置及び取付け方法を、エンジンの給排気バルブの取付け工程に適用可能なものであるが、これらは説明のための例示であり、本発明の範囲を制限するものではない。【００４２】
図１は第１実施形態のバルブコッタ取付け装置の要部の概略を模式的に示す斜視図である。また、図２Ａ〜図２Ｃは、それぞれ該取付け装置の正面図、平面図、側面図である。【００４３】
図１から２Ｃに示すように、バルブコッタ取付け装置１１は、コッタ取付け部１３と、コッタ供給手段である供給装置１５と、リテーナ供給手段である供給装置１７とを備えている。そして、コッタ取付け部１３と、コッタ供給装置１５と、リテーナ供給手段である供給装置１７とは、同一の架台１６上に設置され、同じ設置テーブル２１上に載置されている。尚、取付け装置１１の実際の天地について述べるならば、図２Ａの正面図の向きに置かれ、同図の上方向が実際に置かれた装置の上方向に相当する。【００４４】
リテーナ供給手段である供給装置１７は、同じ向きにスライド可能に並んで置かれ、供給タイミングに合わせて、リテーナ供給部１７ａを供給装置１７に内蔵された振動機構により振動させて最先端のリテーナ２００を押し出すリテーナ供給部１７ａと、このリテーナ供給部１７ａから押し出されて供給されるスプリングリテーナ２００を取り出すリテーナ取出し部１７ｂとを備えている。【００４５】
コッタ供給手段である供給装置１５は、同じ向きにスライド可能に並んで置かれ、供給タイミングに合わせて、コッタ供給部１５ａを供給装置１５に内蔵された振動機構により振動させて最先端のコッタ片１００を押し出すコッタ供給部１５ａと、このコッタ供給部１５ａから供給されるコッタ片１００を取り出すコッタ取出し部１５ｂと、このコッタ取出し部１５ｂのコッタ片１００を、後述するコッタ組み付け位置に支持されたスプリングリテーナ２００上に搬送するコッタ片移動部材１９とを備えている。【００４６】
コッタ取出し部１５ｂには、コッタ片１００が正確な位置に支持されているかを検知するために、若しくは、単にコッタ片１００が存在することを検知するために、コッタ片検出センサー２９、２９が設けられている。【００４７】
リテーナ取出し部１７ｂは、取出したスプリングリテーナ２００を支持する支持台２３１を備えている。支持台２３１は、スプリングリテーナ２００の外径よりわずかに大きい内径を持ち、取出したスプリングリテーナ２００を支持し、後述するリテーナ孔２０１（図５参照）に導通する導通孔を有している。【００４８】
リテーナ取出し部１７ｂには、スプリングリテーナ２００が正確な位置に支持されているかを検知するために、若しくは、単にスプリングリテーナ２００が存在することを検知するために、一対の部材からなるリテーナ検出センサー２７、２７が設けられている。【００４９】
リテーナ取出し部１７ｂは、取出したスプリングリテーナ２００を、コッタ組み付け位置に移動する移動部材１７ｃを備えている。そして、移動部材１７ｃによりテーナ取出し部１７ｂを、図１に示す矢印の方向に往復動可能に設置されている。【００５０】
図３Ａ及び３Ｂは、コッタ片移動部材１９のコッタ片把持前及びコッタ片把持時の要部をそれぞれ示す部分正面図である。コッタ片移動部材１９は、コッタ把持チャック１９ａを備え、コッタ取出し部１５ｂに取り出されたコッタ片１００を把持して支持台２３１に支持されたスプリングリテーナ２００上に搬送する。【００５１】
図３Ａに示すように、コッタ把持チャック１９ａは、一対の第１アーム１９ｂと第２アーム１９ｃとから構成される。そして、コッタ片移動部材１９中に内蔵されるエアシリンダーによって開閉される。【００５２】
第１アーム１９ｂは、アームの把持面に突出部１９ｄを有し、第２アーム１９ｃは、アームの把持面が、コッタ片１００のテーパ外壁１００ｂ（図４参照）のテーパ角に一致する勾配を持つ傾斜面１９ｅとなっている。【００５３】
この構成により、図３Ｂに示すように、コッタ片１００を把持した際に、突出部１９ｄは、コッタ中心孔１００ｃ（図４参照）の中に入り込み、傾斜面１９ｅは、テーパ外壁１００ｂに沿うようになっている。この際、突出部１９ｄの横幅は、コッタ中心孔１００ｃの内径にほぼ一致している。この結果、コッタ片１００は、コッタ把持チャック１９ａにより、安定的に把持される。【００５４】
ところで、エンジンの給排気バルブ（図示省略）は、流路を開閉するバルブ本体と、バルブ本体に弾発力を付与するスプリングとを有し、スプリングは、スプリングリテーナ２００で保持され、スプリングリテーナ２００は、コッタ片１００からなるバルブコッタを介してバルブステムに取り付けられている（図８Ｄ参照）。【００５５】
図４は、バルブコッタ（図８Ｄ参照）の構成部品であるコッタ片１００の拡大図である。バルブコッタは、図４に示す均等に分割された円弧状のコッタ片１００の一対から構成される。【００５６】
コッタ片１００は、後述するスプリングリテーナ２００のテーパ壁を有する内周面２０３のテーパに沿うテーパ外壁１００ｂを備え、中心には前記バルブステムが貫通するコッタ中心孔１００ｃを備え、中心孔１００ｃの内壁にバルブステムに設けられた凹溝に嵌合する凸部１００ｄを備えている。【００５７】
従って、これらコッタ片１００、１００がスプリングリテーナ２００に取り付けられると、コッタ片１００、１００は、リテーナ孔２０１から下方に離脱不能となる。【００５８】
図５は、スプリングリテーナ２００の拡大図である。図５に示すように、スプリングリテーナ２００は、外周部がスプリングを保持する鍔部２０４となっており、その中心部にリテーナ孔２０１を備えている。そして、鍔部２０４からリテーナ孔２０１に向かって次第に絞られており、リテーナ孔２０１の内周縁はわずかに内方に延びた孔鍔部２０２となっている。孔鍔部２０２から立ち上がる隣接部は一定角度で傾斜するテーパ壁を有する内周面２０３となっている。【００５９】
また、図２Ａに示すように、コッタ取付け部１３は、設置テーブル２１のコッタ取り付け位置の下方に、受け手段である受け取り部材１３ａが設けられている。受け手段である受け取り部材１３ａは、設置テーブル２１に開けられた貫通孔を通って設置テーブル２１上に進退可能になっている。この進退は、後述する移動手段である移動部材１４により行われる。【００６０】
図６及び７は、受け手段である受け取り部材の要部の正面図及び平面図である。図６及び７に示すように、受け手段である受け取り部材１３ａは、上端部がコッタ片１００を受けることができる軸体１３０から構成される。そして、その下端部には、図２Ａに示すように、ロータリーアクチュエータを内蔵する回転機構１３ｂ（図２Ａ参照）が備えられ、回転可能になっている。【００６１】
軸体１３０の一例を図６に示す。半割大円柱１３０ａ及び半割小円柱１３０ｂをそれぞれの割面でそれぞれの円柱の中心軸を共通にして張り合わせた形状になっている。軸体１３０は、その先端面１３０ｃがコッタ片１００を受ける先端面として機能する。また、軸体１３０は、半割大円柱１３０ａの割面において凸形状を形成する半割小円柱１３０ｂの外側周面１３０ｅ及び／又は半割大円柱１３０ａの割面１３０ｄがコッタ片１００を受けるガイド面として機能する。【００６２】
図７に受け手段である受け取り部材１３ａの軸体１４０の別の実施例を示す。円柱の半割で横断面が半円状を呈する半円柱体１４０ａを軸体１４０は構成要素として備える。受け手段である受け取り部材１３ａとしてもよい。この場合、軸体１４０の先端面１４０ｃがコッタ片１００を受ける先端面として機能する。軸体１４０の半割割面１４０ｂがコッタ片１００を受けるガイド面として機能する。【００６３】
移動手段である移動部材は、図２Ａに示すように、受け手段である受け取り部材１３ａを載置して上下する昇降台１４ｂと、昇降台１４ｂを上下させる昇降部１４ａとを備えている。昇降部１４ａは、エアシリンダを備え、その第１昇降シャフト１４ｊを伸縮させて昇降台１４ｂを昇降させるようになっている。前記回転機構１３ｂは、基台を介して昇降台１４ｂ上に載置されている。【００６４】
昇降台１４ｂ上には、受け手段である受け取り部材１３ａの移動距離を規定する第１昇降規制部材１３１と第２昇降規制部材１３３とが載置されている。第１昇降規制部材１３１は、昇降台１４ｂに載置される受け取り部材１３ａが、昇降台１４ｂと共に上昇する際に、上に行き過ぎないように、受け取り部材１３ａの位置を規定する。これにより、順次供給されるコッタ片１００の第１のコッタ片１００を、リテーナ孔２０１の第１の所定の位置に設置する際の受け手段である受け取り部材１３ａの位置決めが可能となる。この第１昇降規制部材１３１の具体的な例としては、昇降台１４ｂと設置テーブル２１との間に設けられ、該設置テーブルに当接して昇降台１４ｂの上昇位置を規制するストッパーである。なお、第１昇降規制部材１３１を構成せずに昇降部１４ａの第１昇降シャフト１４ｊのストローク端（または上昇端）を第１の所定の位置としてもよい。【００６５】
第２昇降規制部材１３３は、第１のコッタ片１００についで供給される第２のコッタ片１００を、リテーナ孔２０１の第２の所定の位置に設置する際の受け手段である受け取り部材１３ａの位置決めをする。具体的には、第２昇降規制部材１３３は、第１昇降規制部材１３１によって位置決めされた受け手段である受け取り部材１３ａを所定距離だけ降下させるための昇降機構を備えている。【００６６】
そして、第２昇降規制部材１３３は、昇降機構に備えられた第２昇降シャフトを上昇させて、設置テーブル２１に当接し押圧するので、その反作用により、昇降台１４ｂが下方に押圧され、昇降部１４ａの押し上げ力に勝るので受け手段である受け取り部材１３ａが降下させられる。【００６７】
この昇降台１４ｂは、昇降部１４ａにより押し上げ可能に配置されている。一方、昇降部１４ａは昇降部設置台１４ｃに設置され固定されている。昇降部設置台１４ｃは、設置台支柱１４ｈ，１４ｈにより基台１４ｉに固定され、基台１４ｉは架台１６に固定されている。なお、前述の設置テーブル２１は、テーブル支柱１３ｉ、１３ｉにより昇降部設置台１４ｃに固定されている。【００６８】
ついで、本実施例のバルブコッタ取付け装置１１を用いてスプリングリテーナ２００にバルブコッタを組み付ける方法を、図８Ａ〜８Ｄ及び図９Ａ〜９Ｆを参照しつつ、説明する。【００６９】
図８Ａ〜８Ｄは、主に、支持台２３１に固定されたリテーナ２００及び受け取り部材１３ａの側面視で、略断面図（若しくは透過模式図）を示す。特に、図８Ｂ〜８Ｄでは、上面図も略断面図の上に示し、より詳しい説明を容易にしている。図９Ａ〜９Ｆは、バルブコッタ取付け装置１１における正面図及び上面図により、支持台２３１に固定されたリテーナ２００及び受け取り部材１３ａの位置関係を示している。【００７０】
（リテーナ移動工程）
図９Ａに示すように、リテーナ供給部１７ａから、一列に並んだスプリングリテーナ２００を押し出すことにより、リテーナ取出し部１７ｂの支持台２３１にスプリングリテーナ２００を供給する。支持台２３１にスプリングリテーナ２００が装着されると、リテーナ供給部１７ａの振動が停止し、更なるスプリングリテーナ２００の押し出しを防止する。リテーナ取出し部１７ｂは、移動部材１７ｃに固定され、レール１７ｄ上を滑る移動部材１７ｃによって、リテーナ取出し部１７ｂは移動される。そして、スプリングリテーナ２００がコッタ組み付け位置に配置されるように、検出センサーにより移動が制御される（図中矢印で移動方向を示す）。【００７１】
図９Ｂに示すように、この移動により、図９Ａでは、オフセット状態であった受け取り部材１３ａが、スプリングリテーナ２００のリテーナ孔２０１の中心線にほぼ沿うこととなり、以下に述べるコッタ片１００の取り付けが行われる準備が整う。より詳細には、支持台２３１の導通孔と、設置テーブル２１の貫通孔と、受け手段である受け取り部材１３ａとは、それぞれの中心軸をほぼ一致させて位置している。【００７２】
しかしながら、このとき受け取り部材１３ａは低い位置に保持され、スプリングリテーナ２００のリテーナ孔２０１の中には進入していない。このように低い位置に保つことによって、スプリングリテーナ２００の移動部材１７ｃによる移動を容易にする。【００７３】
（受け手段である受け取り部材進入工程）
次に、図９Ｃに示すように、受け取り部材１３ａを上昇させて、受け取り部材１３ａを支持台２３１上のスプリングリテーナ２００のリテーナ孔２０１の所定位置まで進入させる。この所定位置とは、図８Ａに示される２本の破線の内、上方の破線で示される位置に受け取り部材１３ａの先端面１３０ｃが達する位置である。この位置は、第１昇降規制部材１３１の上端が、設置テーブル２１の裏面に当接する位置に一致するよう調節されている。これにより受け手段である受け取り部材１３ａの先端面１３０ｃは、この位置に維持される。このとき、スプリングリテーナ２００のリテーナ孔２０１の内周面２０３と、及びガイド面となる半割小円柱１３０ｂの外側周面及び／又は半割大円柱１３０ａの割面１３０ｄからなるガイド面とによって、コッタ片１００が装着される第１の所定の位置が規定される。【００７４】
（コッタ供給工程）
一方、コッタ供給部１５ａからコッタ片１００をコッタ取出し部１５ｂに順次供給する（図９Ａ参照）。コッタ取出し部１５ｂに供給されたコッタ片１００が、正位置に支持されているか否かを検出センサー２９、２９により測定される。コッタ片１００が正位置であることが確認されると、このコッタ片１００は、コッタ片移動部材１９の把持チャック１９ａの第１及び第２のアーム１９ｂ、１９ｃにより把持され、持ち上げられる（図１参照）。そして、コッタ片移動部材１９が図示しない駆動装置により、組付け位置に配置されたスプリングリテーナ２００の上方に移動される。本実施例では、この第１のコッタ片１００に続いて、第２のコッタ片１００が同様にコッタ供給部１５ａから供給され、コッタ片移動部材１９により移動されるが、同様な操作を行うので第２のコッタ片１００及びその後に供給されるコッタ片１００の供給工程については、説明を割愛する。【００７５】
移動された第１のコッタ片１００は、図８Ａにおいて矢印で示すように第１の所定の位置（リテーナ孔２０１の内周面２０３及びガイド面により規定される位置）に装着されるように、把持チャック１９ａは移動してきたコッタ片１００の向きを合わせて落下できる位置に保持する。尚、図９Ａ〜９Ｆにおいて、コッタ片移動部材１９の把持チャック１９ａは省略してある。【００７６】
（第１コッタ片落下工程）
図８Ａに示すように、受け取り部材１３ａが受け取り位置に待機しているのを確認して、コッタを所定の位置（受け取り部材１３ａの上端部の先端面１３０ｃの少し下の半割部にコッタの下端が少し入り込んだ位置）に移動し、移載手段として機能する把持チャック１９ａのコッタ保持を解除する。このため、受け取り部材１３ａの先端面１３０ｃに隣接する半割面とリテーナ孔２０１の内周面２０３（即ち、テーパ面）とにより、ガイド効果が発生する。従って、上述のように把持チャック１９ａから解除されて落下したコッタ片１００は、スムーズにコッタ組付け位置（第１の所定の位置）にガイドされる。【００７７】
（回転工程）
上述するように、第１のコッタ片１００は、第１の所定の位置に納められる。その後、図８Ｂに矢印で示すように、前記第１の所定の位置にある第１のコッタ片１００を受け取り部材１３ａと共に、リテーナ孔２０１内で回転させる回転工程を行う。回転工程では、受け手段である受け取り部材１３ａの後端部に設けた回転機構１３ｂにより受け取り部材を半回転させることにより、該コッタ片１００を反対側に位置するように移動する。コッタ片移動部材１９は、次の（第２の）コッタ片１００を取り出すために、把持チャック１９ａのコッタ保持を解除した後、この回転工程の前、またはこの回転工程最中若しくは後のいずれかで、コッタ取出し部１５ｂに移動する。【００７８】
ここで、上記では、受け取り部材１３ａの回転を行ったが、この回転を行わないでも上記と同様な効果を得ることができる。例えば、把持チャック１９ａに図示しない回転機構を装着して、第２のコッタ片１００を把持チャック１９ａで移動するときにコッタ片１００の向きを１８０度回転させる回転工程を設けてもよい。更に、コッタ供給装置１５において、コッタ片１００を互い違いの向きに並べておけば、把持チャック１９ａに回転機構がなくても実質的に同じ効果が得られる。【００７９】
（第２コッタ片落下工程）
図８Ｃ及び図９Ｄに示すように、受け取り部材１３ａが第１のコッタ片を半回転して取り付け反対位置に移行完了すると、第２昇降規制部材１３３を駆動（上昇）させ、昇降台１４ｂを若干下方に移動させ、受け取り部材１３ａが第２のコッタ片受け取り位置に待機する。この位置は、図８Ｃに示す２本の破線のうち下方の破線に、受け取り部材１３ａの先端面１３０ｃが揃う位置である。上述したように、コッタ片移動部材１９により、第２のコッタ片受け取り位置に待機する受け取り部材１３ａ及びスプリングリテーナ２００の上方に第２のコッタ片が移動されてくる。そして、第１のコッタ片１００の上端部より若干低い位置に移動され、同様に保持が解除される。この第２のコッタは、自重により落下し、受け取り部材１３ａの先端面１３０ｃに載置される。このとき、既に装着された第１のコッタ片の割面である垂直面と、リテーナ孔２０１の内周面２０３とによるガイド効果が発生する。そのため、第２のコッタ片１００もスムーズに第２の所定の位置に装着される。【００８０】
尚、上述では、受け取り部材１３ａを若干下げて、上述のガイド効果がより有効に発生するようにしたが、ガイド効果が低くてもかまわない場合や、受け取り部材１３ａの位置が高くてもガイド効果が十分得られる場合は、この下方移動をする必要はない。この場合、第２昇降規制部材１３３が不要となり、組付け装置１１がよりシンプルになる。【００８１】
（受け取り部材退出工程）
図８Ｃに示すように、第１及び第２のコッタ片１００、１００をリテーナ孔２０１中で対称に位置させて両方が接するよう、受け取り部材１３ａをリテーナ孔２０１から退出させる。そして、図８Ｄ及び９Ｅに示すように、受け取り部材１３ａの先端面１３０ｃから、第２のコッタ片１００が離隔すると、コッタの組付け工程が完了する。更に、昇降部１４ａにより昇降台１４ｂが下降され、それに載置される受け取り部材１３ａも下降して、リテーナ孔２０１から完全に離脱する。この位置では、スプリングリテーナ２００が、移動部材１７ｃによって移動しても受け取り部材１３ａは干渉しないいわゆる待機位置である。この組付けが完了したコッタ片１００、１００とスプリングリテーナ２００は、支持台２３１から図示しない移載手段により取り出される。そして、リテーナ取出し部が、スプリングリテーナ２００の供給を受けるべく、リテーナ供給部１７ａの位置に戻る（図９Ｆ参照）。【００８２】
受け取り部材１３ａは、これまで述べてきた工程による次のコッタの組付けのために上述の待機位置で待機する。このとき、上記（回転工程）で、受け取り部材１３ａが回転している場合は、元の回転位置に戻す等の初期化処理が行われる（図９Ｆの矢印参照）。【００８３】
図１０Ａ〜１０Ｃには、別の実施例である取付け装置１２の正面図、上面図、及び側面図をそれぞれ示している。上述の実施例では、昇降部１４ａはエアシリンダーを内蔵しているが、この実施例では、それに替えて、ボールネジ３１と、ボールネジに沿って移動するナット部材を備える。これ以外の部材については、上述してきたものと同一であるので、それらの説明は割愛する。【００８４】
図１０Ａに示すように、昇降部設置台１４ｃ及び設置テーブル２１の間に、ボールねじ３１が固定され、その上端は、回転自在に設置テーブル２１を固定するフレーム部材により固定されている。下端には、モータ３５が配置され、該ボールねじ３１を回転させることにより、ナット部材となる摺動部材３３が、昇降部設置台１４ｃ及び設置テーブル２１の間で自由に往復する。摺動部材３３は、昇降台１４ｂに固定されており、この昇降台１４ｂに載置される受け取り部材１３ａを上下に自在に移動させることができる。上述の装置１１に比べ、構造が単純化されており、軽量で安価な装置とすることが可能である。また、上述の装置１１では、第１及び第２の昇降規制部材１３１、１３３を備えていたが、ここでは、ボールねじの制御が容易なことから、何れの規制部材も不要となる。また、ボールねじは、モータ駆動されるが、例えば、ステップモータを使えば、容易にデジタル制御ができ、上述する正確な上下動や、わずかに降下させる移動が、コンピュータプログラムにより容易に行うことができる。例えば、ＮＣ制御により、停止位置を効率よく確実に変更できる。
【図１】
2008111191.tif 000003
【図２Ａ】
2008111191.tif 000004
【図２Ｂ】
2008111191.tif 000005
【図２Ｃ】
2008111191.tif 000006
【図３Ａ】
2008111191.tif 000007
【図３Ｂ】
2008111191.tif 000008
【図４】
2008111191.tif 000009
【図５】
2008111191.tif 000010
【図６】
2008111191.tif 000011
【図７】
2008111191.tif 000012
【図８Ａ】
2008111191.tif 000013
【図８Ｂ】
2008111191.tif 000014
【図８Ｃ】
2008111191.tif 000015
【図８Ｄ】
2008111191.tif 000016
【図９Ａ】
2008111191.tif 000017
【図９Ｂ】
2008111191.tif 000018
【図９Ｃ】
2008111191.tif 000019
【図９Ｄ】
2008111191.tif 000020
【図９Ｅ】
2008111191.tif 000021
【図９Ｆ】
2008111191.tif 000022
【図１０Ａ】
2008111191.tif 000023
【図１０Ｂ】
2008111191.tif 000024
【図１０Ｃ】
2008111191.tif 000025
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
バルブ本体及びバルブステムからなるバルブに装着されるバルブスプリングに押圧されるスプリングリテーナに該バルブステムに連結する複数の円弧状のコッタ片に分割されるバルブコッタを、前記スプリングリテーナに設けられたリテーナ孔に、取り付けるバルブコッタ取付け装置において、
該リテーナ孔に出入自在に設けられ、供給される第１のコッタ片を、前記リテーナ孔の内側面及び受け手段のほぼ垂直なガイド面で規定される第１の所定の位置にガイドする、及び、該ガイド面より上方にあって、第２のコッタ片を受ける先端面を有する受け手段を備えることを特徴とするバルブコッタ取付け装置。
【請求項２】
前記リテーナ孔が下方に向けて縮径して開孔するように該スプリングリテーナを供給するリテーナ供給手段と、
前記コッタ片を順次供給するコッタ供給手段と、
該受け手段を移動させる移動手段と、を更に備えることを特徴とするバルブコッタ取付け装置。
【請求項３】
前記受け手段は、第２のコッタ片を、前記第１の所定の位置にガイドされた第１のコッタ片にガイドさせて前記先端面に受けることを特徴とする請求項１又は２に記載のバルブコッタ取付け装置。
【請求項４】
前記受け手段は、円柱の半割で横断面が半円状を呈する軸体を有し、該軸体の上端面が前記先端面を含み、該軸体の半割割面がガイド面を含むことを特徴とする請求項１から３のいずれかに記載のバルブコッタ取付け装置。
【請求項５】
前記受け手段は、半割大円柱及び半割小円柱をそれぞれの割面でそれぞれの円柱中心軸を共通にして張り合わせてなる軸体を有し、該軸体における上端面が前記先端面を含み、該軸体の前記半割大円柱の割面において凸形状を形成する前記半割小円柱の外側周面及び／又は前記半割大円柱の前記割面が前記ガイド面を含むことを特徴とする請求項１から３のいずれかに記載のバルブコッタ取付け装置。
【請求項６】
前記受け手段を、前記リテーナ孔内で回転させる回転機構を備えることを特徴とする請求項１から５のいずれかに記載のバルブコッタ取付け装置。
【請求項７】
前記移動手段は、前記受け手段を載置して上下する昇降台と、該昇降台を上下させるように前記取付け装置本体に固定される昇降部とを備えることを特徴とする請求項１から６のいずれかに記載のバルブコッタ取付け装置。
【請求項８】
前記受け手段を、前記ガイド面が前記第１の所定の位置に第１のコッタ片をガイドできるように位置決めする第１昇降規制部材と、
前記第１のコッタ片にガイドされた第２のコッタ片を前記先端面が受けられるように前記受け手段を移動させる第２昇降規制部材とを有し、
前記第１昇降規制部材及び前記第２昇降規制部材は、前記昇降台に設置されていることを特徴とする請求項７に記載のバルブコッタ取付け装置。
【請求項９】
所定位置に固定され、前記リテーナ供給手段及びコッタ供給手段が設置される設置テーブルを備え、
前記第１昇降規制部材は、前記昇降台と前記設置テーブルとの間に設けられ、該設置テーブルに当接して前記昇降台の上昇位置を規制するストッパーであり、
前記第２昇降規制部材は、前記第１昇降規制部材によって規制された前記上昇位置から前記昇降台を降下させる昇降機構を備えることを特徴とする請求項７又は８に記載のバルブコッタ取付け装置。
【請求項１０】
前記リテーナ供給手段は、前記第１の所定の位置を前記リテーナ孔内に規定できるように前記スプリングリテーナを移動させるリテーナ移動部材を備えることを特徴とする請求項１から９のいずれかに記載のバルブコッタ取付け装置。
【請求項１１】
前記コッタ供給手段は、移動させられた前記スプリングリテーナの上方に前記コッタ片を移動させるコッタ片移動部材を備えることを特徴とする請求項１０に記載のバルブコッタ取付け装置。
【請求項１２】
前記昇降部は、エアシリンダーを備えることを特徴とする請求項７から１１のいずれかに記載のバルブコッタ取付け装置。
【請求項１３】
前記昇降部は、ボールネジ及び該ボールネジに沿って移動する摺動部材を備えることを特徴とする請求項７、１０及び１１のいずれかに記載のバルブコッタ取付け装置。
【請求項１４】
バルブ本体及びバルブステムからなるバルブに装着されるバルブスプリングに押圧されるスプリングリテーナに該バルブステムに連結する複数の円弧状のコッタ片に分割されるバルブコッタを、前記スプリングリテーナに設けられたリテーナ孔に、上端の先端面及び該先端面にほぼ直角に隣接するガイド面を備える受け手段を利用して取付けるバルブコッタ取付け方法において、
第１のコッタ片を、前記リテーナ孔の上方に搬送し、前記リテーナ孔の内側面及び前記ガイド面により規定される第１の所定の位置に、落下させる第１のコッタ片落下工程と、
第２のコッタ片を、前記リテーナ孔の上方に搬送し、前記先端面により規定される第２の所定の位置に、落下させる第２コッタ片落下工程と、を含むことを特徴とするバルブコッタ取付け方法。
【請求項１５】
前記リテーナ孔が下方に向けて縮径して開孔するように該スプリングリテーナを供給し、バルブコッタの取付け位置に移動するリテーナ移動工程と、
前記受け手段を前記リテーナ孔に下側から進入させる受け手段進入工程と、
前記第１及び第２のコッタ片を供給するコッタ供給工程と、
前記受け手段を、前記リテーナ孔から下側に退出させる受け手段退出工程と、を含むことを特徴とするバルブコッタ取付け方法。
【請求項１６】
前記第２コッタ片落下工程の前に、前記受け手段を所定距離下降させる下降工程をさらに含むことを特徴とする請求項１４又は１５に記載のバルブコッタ取付け方法。
【請求項１７】
前記第１コッタ片落下工程の後に、前記第１の所定の位置にある前記第１のコッタ片を前記受け手段と共に前記リテーナ孔内で回転させる回転工程を更に含むことを特徴とする請求項１４から１６のいずれかに記載のバルブコッタ取付け方法。
【請求項１８】
前記第２コッタ片落下工程は、前記第２のコッタ片の回転工程を含むことを特徴とする請求項１４又は１５に記載のバルブコッタ取付け方法。
【国際調査報告】
2008111191.tif 000026
2008111191.tif 000027
2008111191.tif 000028
2008111191.tif 000029